(57)【要約】【課題】携帯端末で検索し入手した情報の関連情報を、特別の処理をすることなく、パソコン等で閲覧することができなかった。【解決手段】第一表示画面構成部１１１０３が第一情報に基づいて構成した第一表示画面を表示する第一表示画面表示部１１１０４、第一情報に関連する情報である第二情報が存在するアドレスを示す第二アドレスを第一情報から取得する第二アドレス取得部１１１０５、及び第二アドレスを第二情報処理装置１２に送信する第二アドレス送信部１１１０６を具備する第一情報処理装置１１と、第一情報処理装置１１から受信した第二アドレスに基づいて第二情報を取得する第二情報取得部１２１０２、および第二表示画面構成部１２１０３が第二情報に基づき構成した第二表示画面を表示する第二表示画面表示部１２１０４を具備する第二情報処理装置１２とを備えた。【選択図】図２
2006343806.tif 000002
【特許請求の範囲】
【請求項１】
第一の画面を有する第一情報処理装置と第二の画面を有する第二情報処理装置を具備する情報処理システムであって、
前記第一情報処理装置は、
第一の画面用に構成されている第一情報が存在するアドレスを示す第一アドレスを受け付ける第一アドレス受付部と、
前記第一アドレスに基づいて第一情報を取得する第一情報取得部と、
前記第一情報を解釈し、第一表示画面を構成する第一表示画面構成部と、
前記第一表示画面を表示する第一表示画面表示部と、
前記第二の画面用に構成されており、前記第一情報に関連する情報である第二情報が存在するアドレスを示す第二アドレスを前記第一情報から取得する第二アドレス取得部と、
第二アドレス取得部が取得した前記第二アドレスを、前記第二情報処理装置に送信する第二アドレス送信部を具備し、
前記第二情報処理装置は、
前記第一情報処理装置から第二アドレスを受信する第二アドレス受信部と、
前記第二アドレスに基づいて第二情報を取得する第二情報取得部と、
前記第二情報を解釈し、第二表示画面を構成する第二表示画面構成部と、
前記第二表示画面を表示する第二表示画面表示部を具備する情報処理システム。
【請求項２】
第一の画面を有する第一情報処理装置と第二の画面を有する第二情報処理装置を具備する情報処理システムであって、
前記第一情報処理装置は、
第一の画面用に構成されている第一情報が存在するアドレスを示す第一アドレスを受け付ける第一アドレス受付部と、
前記第一アドレスに基づいて第一情報を取得する第一情報取得部と、
前記第一情報を表示する第一情報表示部と、
前記第二の画面用に構成されており、前記第一情報に関連する情報である第二情報が存在するアドレスを示す第二アドレスを前記第一情報から取得する第二アドレス取得部と、
第二アドレス取得部が取得した前記第二アドレスを、前記第二情報処理装置に送信する第二アドレス送信部を具備し、
前記第二情報処理装置は、
前記第一情報処理装置から第二アドレスを受信する第二アドレス受信部と、
前記第二アドレスに基づいて第二情報を取得する第二情報取得部と、
前記第二情報を表示する第二情報表示部を具備する情報処理システム。
【請求項３】
第一の画面を有する第一情報処理装置と第二の画面を有する第二情報処理装置を具備する情報処理システムであって、
前記第一情報処理装置は、
第一の画面用に構成されている第一情報が存在するアドレスを示す第一アドレスを受け付ける第一アドレス受付部と、
前記第一アドレスに基づいて第一情報を取得する第一情報取得部と、
前記第一情報を解釈し、第一表示画面を構成する第一表示画面構成部と、
前記第一表示画面を表示する第一表示画面表示部と、
前記第一情報を、前記第二情報処理装置に送信する第一情報送信部を具備し、
前記第二情報処理装置は、
前記第一情報処理装置から第一情報を受信する第一情報受信部と、
前記第一情報受信部が受信した第一情報から、前記第二の画面用に構成されており、前記第一情報に関連する情報である第二情報が存在するアドレスを示す第二アドレスを取得する第二アドレス取得部と、
前記第二アドレス取得部が取得した第二アドレスに基づいて第二情報を取得する第二情報取得部と、
前記第二情報を解釈し、第二表示画面を構成する第二表示画面構成部と、
前記第二表示画面を表示する第二表示画面表示部を具備する情報処理システム。
【請求項４】
第一の画面を有する第一情報処理装置と第二の画面を有する第二情報処理装置を具備する情報処理システムであって、
前記第一情報処理装置は、
第一の画面用に構成されている第一情報が存在するアドレスを示す第一アドレスを受け付ける第一アドレス受付部と、
前記第一アドレスに基づいて第一情報を取得する第一情報取得部と、
前記第一情報を表示する第一情報表示部と、
前記第一情報を、前記第二情報処理装置に送信する第一情報送信部を具備し、
前記第二情報処理装置は、
前記第一情報処理装置から第一情報を受信する第一情報受信部と、
前記第一情報受信部が受信した第一情報から、前記第二の画面用に構成されており、前記第一情報に関連する情報である第二情報が存在するアドレスを示す第二アドレスを取得する第二アドレス取得部と、
前記第二アドレス取得部が取得した第二アドレスに基づいて第二情報を取得する第二情報取得部と、
前記第二情報を表示する第二情報表示部を具備する情報処理システム。
【請求項５】
前記第一情報取得部および前記第二情報取得部は、
一のサーバ装置にアクセスし、当該一のサーバ装置から、それぞれ第一情報および第二情報を受信する請求項1から請求項４いずれか記載の情報処理システム。
【請求項６】
前記第一の画面は携帯端末用の画面であり、
前記第二の画面は、アスペクト比が４対３の画面である請求項１から請求項５いずれか記載の情報処理システム。
【請求項７】
前記第一の画面は携帯端末用の画面であり、
前記第二の画面は、アスペクト比が１６対９の画面である請求項１から請求項５いずれか記載の情報処理システム。
【請求項８】
請求項１から請求項７いずれか記載の情報処理システムを構成する第一情報処理装置。
【請求項９】
請求項１から請求項７いずれか記載の情報処理システムを構成する第二情報処理装置。
【請求項１０】
前記第一の画面用に構成されており、コンピュータに解釈実行されることにより画面が構成される第一情報内に、当該第一情報に関連する情報である第二情報が存在するアドレスを示す第二アドレスを含む第一情報のデータ構造。
【請求項１１】
前記第一情報は携帯端末用のホームページの情報であり、前記第二アドレスはパソコン用のホームページのＵＲＬである請求項１０記載のデータ構造。
【請求項１２】
第一の画面を有する第一情報処理装置と第二の画面を有する第二情報処理装置とを有する情報処理システムを構成する第一情報処理装置における情報処理方法あって、
第一の画面用に構成されている第一情報が存在するアドレスを示す第一アドレスを受け付ける第一アドレス受付ステップと、
前記第一アドレスに基づいて第一情報を取得する第一情報取得ステップと、
前記第一情報を解釈し、第一表示画面を構成する第一表示画面構成ステップと、
前記第一表示画面を表示する第一表示画面表示ステップと、
前記第二の画面用に構成されており、前記第一情報に関連する情報である第二情報が存在するアドレスを示す第二アドレスを前記第一情報から取得する第二アドレス取得ステップと、
第二アドレス取得ステップで取得した前記第二アドレスを、前記第二情報処理装置に送信する第二アドレス送信ステップを具備する情報処理方法。
【請求項１３】
第一の画面を有する第一情報処理装置と第二の画面を有する第二情報処理装置とを有する情報処理システムを構成する第一情報処理装置における情報処理方法あって、
第一の画面用に構成されている第一情報が存在するアドレスを示す第一アドレスを受け付ける第一アドレス受付ステップと、
前記第一アドレスに基づいて第一情報を取得する第一情報取得ステップと、
前記第一情報を表示する第一情報表示ステップと、
前記第二の画面用に構成されており、前記第一情報に関連する情報である第二情報が存在するアドレスを示す第二アドレスを前記第一情報から取得する第二アドレス取得ステップと、
第二アドレス取得ステップで取得した前記第二アドレスを、前記第二情報処理装置に送信する第二アドレス送信ステップを具備する情報処理方法。
【請求項１４】
第一の画面を有する第一情報処理装置と第二の画面を有する第二情報処理装置とを有する情報処理システムを構成する第二情報処理装置における情報処理方法あって、
前記第一情報処理装置から、第一の画面用に構成されている第一情報を受信する第一情報受信ステップと、
前記第一情報受信ステップで受信した第一情報から、前記第二の画面用に構成されており、前記第一情報に関連する情報である第二情報が存在するアドレスを示す第二アドレスを取得する第二アドレス取得ステップと、
前記第二アドレス取得ステップ取得した第二アドレスに基づいて第二情報を取得する第二情報取得ステップと、
前記第二情報を解釈し、第二表示画面を構成する第二表示画面構成ステップと、
前記第二表示画面を表示する第二表示画面表示ステップを具備する情報処理方法。
【請求項１５】
第一の画面を有する第一情報処理装置と第二の画面を有する第二情報処理装置とを有する情報処理システムを構成する第二情報処理装置における情報処理方法あって、
前記第一情報処理装置から第一の画面用に構成されている第一情報を受信する第一情報受信ステップと、
前記第一情報受信ステップが受信した第一情報から、前記第二の画面用に構成されており、前記第一情報に関連する情報である第二情報が存在するアドレスを示す第二アドレスを取得する第二アドレス取得ステップと、
前記第二アドレス取得ステップで取得した第二アドレスに基づいて第二情報を取得する第二情報取得ステップと、
前記第二情報を表示する第二情報表示ステップを具備する情報処理方法。
【請求項１６】
コンピュータに、
第一の画面を有する第一情報処理装置と第二の画面を有する第二情報処理装置とを有する情報処理システムを構成する第一情報処理装置における処理を実行させるためのプログラムであって、
第一の画面用に構成されている第一情報が存在するアドレスを示す第一アドレスを受け付ける第一アドレス受付ステップと、
前記第一アドレスに基づいて第一情報を取得する第一情報取得ステップと、
前記第一情報を解釈し、第一表示画面を構成する第一表示画面構成ステップと、
前記第一表示画面を表示する第一表示画面表示ステップと、
前記第二の画面用に構成されており、前記第一情報に関連する情報である第二情報が存在するアドレスを示す第二アドレスを前記第一情報から取得する第二アドレス取得ステップと、
第二アドレス取得ステップで取得した前記第二アドレスを、前記第二情報処理装置に送信する第二アドレス送信ステップとを実行させるためのプログラム。
【請求項１７】
コンピュータに、
第一の画面を有する第一情報処理装置と第二の画面を有する第二情報処理装置とを有する情報処理システムを構成する第一情報処理装置における処理を実行させるためのプログラムであって、
第一の画面用に構成されている第一情報が存在するアドレスを示す第一アドレスを受け付ける第一アドレス受付ステップと、
前記第一アドレスに基づいて第一情報を取得する第一情報取得ステップと、
前記第一情報を表示する第一情報表示ステップと、
前記第二の画面用に構成されており、前記第一情報に関連する情報である第二情報が存在するアドレスを示す第二アドレスを前記第一情報から取得する第二アドレス取得ステップと、
第二アドレス取得ステップで取得した前記第二アドレスを、前記第二情報処理装置に送信する第二アドレス送信ステップを実行させるためのプログラム。
【請求項１８】
コンピュータに、
第一の画面を有する第一情報処理装置と第二の画面を有する第二情報処理装置とを有する情報処理システムを構成する第二情報処理装置における処理を実行させるためのプログラムであって、
前記第一情報処理装置から、第一の画面用に構成されている第一情報を受信する第一情報受信ステップと、
前記第一情報受信ステップで受信した第一情報から、前記第二の画面用に構成されており、前記第一情報に関連する情報である第二情報が存在するアドレスを示す第二アドレスを取得する第二アドレス取得ステップと、
前記第二アドレス取得ステップ取得した第二アドレスに基づいて第二情報を取得する第二情報取得ステップと、
前記第二情報を解釈し、第二表示画面を構成する第二表示画面構成ステップと、
前記第二表示画面を表示する第二表示画面表示ステップを実行させるためのプログラム。
【請求項１９】
コンピュータに、第一の画面を有する第一情報処理装置と第二の画面を有する第二情報処理装置とを有する情報処理システムを構成する第二情報処理装置における処理を実行させるためのプログラムであって、
前記第一情報処理装置から第一の画面用に構成されている第一情報を受信する第一情報受信ステップと、
前記第一情報受信ステップが受信した第一情報から、前記第二の画面用に構成されており、前記第一情報に関連する情報である第二情報が存在するアドレスを示す第二アドレスを取得する第二アドレス取得ステップと、
前記第二アドレス取得ステップで取得した第二アドレスに基づいて第二情報を取得する第二情報取得ステップと、
前記第二情報を表示する第二情報表示ステップを実行させるためのプログラム。
【発明の詳細な説明】
【技術分野】
【０００１】
本発明は、情報を受信して出力する情報処理装置等に関するものである。
【背景技術】
【０００２】
携帯端末等でインターネット上のホームページを検索し閲覧する場合、一般にパソコンより表示情報量が少なく、大量の情報を閲覧しにくいという問題がある。この為、ユーザは携帯端末上で検索し取得したＵＲＬを、メモ又は暗記してパソコン上でＵＲＬへ再アクセスするか、再検索してアクセスする等の手段で対処している。この問題を解決する為に、ＵＲＬをファックスサーバに通知してハードコピーを取る方法（例えば、特許文献１参照）や、携帯電話をメモ代わりに使用する方法（特許文献２参照）が考案されている。
【特許文献１】特開２００２−１５２４５２号公報（第１頁、第１図等）
【特許文献２】特開２００４−２１４１７号公報（第１頁、第１図等）
【発明の開示】
【発明が解決しようとする課題】
【０００３】
しかしながら、上記従来の構成では、効率よく情報処理が行えなかった。
本発明は、かかる点に鑑み、情報処理を効率よく行う情報処理システムを提供することを目的とする。
【課題を解決するための手段】
【０００４】
本発明にかかる情報処理システムは、第一の画面を有する第一情報処理装置と第二の画面を有する第二情報処理装置を具備する情報処理システムであって、前記第一情報処理装置は、第一の画面用に構成されている第一情報が存在するアドレスを示す第一アドレスを受け付ける第一アドレス受付部と、前記第一アドレスに基づいて第一情報を取得する第一情報取得部と、前記第一情報を解釈し、第一表示画面を構成する第一表示画面構成部と、前記第一表示画面を表示する第一表示画面表示部と、前記第二の画面用に構成されており、前記第一情報に関連する情報である第二情報が存在するアドレスを示す第二アドレスを前記第一情報から取得する第二アドレス取得部と、第二アドレス取得部が取得した前記第二アドレスを、前記第二情報処理装置に送信する第二アドレス送信部を具備し、前記第二情報処理装置は、前記第一情報処理装置から第二アドレスを受信する第二アドレス受信部と、前記第二アドレスに基づいて第二情報を取得する第二情報取得部と、前記第二情報を解釈し、第二表示画面を構成する第二表示画面構成部と、前記第二表示画面を表示する第二表示画面表示部を具備する。
【０００５】
かかる構成により、第一情報処理装置と第二情報処理装置とで、関連する情報の入手を、効率良く行うことが可能となる。また、第一情報処理装置と第二情報処理装置とに対して、関連する情報を効果的に提供することが可能となる。
【０００６】
また、本発明にかかる情報処理システムは、第一の画面を有する第一情報処理装置と第二の画面を有する第二情報処理装置を具備する情報処理システムであって、前記第一情報処理装置は、第一の画面用に構成されている第一情報が存在するアドレスを示す第一アドレスを受け付ける第一アドレス受付部と、前記第一アドレスに基づいて第一情報を取得する第一情報取得部と、前記第一情報を表示する第一情報表示部と、前記第二の画面用に構成されており、前記第一情報に関連する情報である第二情報が存在するアドレスを示す第二アドレスを前記第一情報から取得する第二アドレス取得部と、第二アドレス取得部が取得した前記第二アドレスを、前記第二情報処理装置に送信する第二アドレス送信部を具備し、前記第二情報処理装置は、前記第一情報処理装置から第二アドレスを受信する第二ア
ドレス受信部と、前記第二アドレスに基づいて第二情報を取得する第二情報取得部と、前記第二情報を表示する第二情報表示部を具備する。
【０００７】
かかる構成により、第一情報処理装置と第二情報処理装置とで、関連する情報の入手を、効率良く行うことが可能となる。また、第一情報処理装置と第二情報処理装置とに対して、関連する情報を効果的に提供することが可能となる。
【０００８】
また、本発明にかかる情報処理システムは、第一の画面を有する第一情報処理装置と第二の画面を有する第二情報処理装置を具備する情報処理システムであって、前記第一情報処理装置は、第一の画面用に構成されている第一情報が存在するアドレスを示す第一アドレスを受け付ける第一アドレス受付部と、前記第一アドレスに基づいて第一情報を取得する第一情報取得部と、前記第一情報を解釈し、第一表示画面を構成する第一表示画面構成部と、前記第一表示画面を表示する第一表示画面表示部と、前記第一情報を、前記第二情報処理装置に送信する第一情報送信部を具備し、前記第二情報処理装置は、前記第一情報処理装置から第一情報を受信する第一情報受信部と、前記第一情報受信部が受信した第一情報から、前記第二の画面用に構成されており、前記第一情報に関連する情報である第二情報が存在するアドレスを示す第二アドレスを取得する第二アドレス取得部と、前記第二アドレス取得部が取得した第二アドレスに基づいて第二情報を取得する第二情報取得部と、前記第二情報を解釈し、第二表示画面を構成する第二表示画面構成部と、前記第二表示画面を表示する第二表示画面表示部を具備する。
【０００９】
かかる構成により、第一情報処理装置と第二情報処理装置とで、関連する情報の入手を、効率良く行うことが可能となる。また、第一情報処理装置と第二情報処理装置とに対して、関連する情報を効果的に提供することが可能となる。
【００１０】
また、本発明にかかる情報処理システムは、第一の画面を有する第一情報処理装置と第二の画面を有する第二情報処理装置を具備する情報処理システムであって、前記第一情報処理装置は、第一の画面用に構成されている第一情報が存在するアドレスを示す第一アドレスを受け付ける第一アドレス受付部と、前記第一アドレスに基づいて第一情報を取得する第一情報取得部と、前記第一情報を表示する第一情報表示部と、前記第一情報を、前記第二情報処理装置に送信する第一情報送信部を具備し、前記第二情報処理装置は、前記第一情報処理装置から第一情報を受信する第一情報受信部と、前記第一情報受信部が受信した第一情報から、前記第二の画面用に構成されており、前記第一情報に関連する情報である第二情報が存在するアドレスを示す第二アドレスを取得する第二アドレス取得部と、前記第二アドレス取得部が取得した第二アドレスに基づいて第二情報を取得する第二情報取得部と、前記第二情報を表示する第二情報表示部を具備する。
【００１１】
かかる構成により、第一情報処理装置と第二情報処理装置とで、関連する情報の入手を、効率良く行うことが可能となる。また、第一情報処理装置と第二情報処理装置とに対して、関連する情報を効果的に提供することが可能となる。
【発明の効果】
【００１２】
本発明による情報処理装置等により、情報提供側は、複数種類の情報処理装置上において、関連する情報を効果的に提供可能であり、ユーザ側は関連する情報の入手を、複数種類の情報処理装置において効率良く行うことができる。
【発明を実施するための最良の形態】
【００１３】
以下、情報処理システム等の実施形態について図面を参照して説明する。なお、実施の形態において同じ符号を付した構成要素は同様の動作を行うので、再度の説明を省略する場合がある。
【００１４】
（実施の形態１）
図１は、本情報処理システムの概念図である。本情報処理システムは、第一の画面を有する第一情報処理装置１１と、第二の画面を有する第二情報処理装置１２とサーバ装置１３を具備する。第一情報処理装置１１、第二情報処理装置１２はともにサーバ装置１３より情報を取得する。
【００１５】
図２は、本情報処理システムのブロック図である。第一情報処理装置１１は、第一アドレス受付部１１１０１、第一情報取得部１１１０２、第一表示画面構成部１１１０３、第一表示画面表示部１１１０４、第二アドレス取得部１１１０５、第二アドレス送信部１１１０６、第二アドレス送信指示受付部１１１０７を具備する。第二情報処理装置１２は、第二アドレス受信部１２１０１、第二情報取得部１２１０２、第二表示画面構成部１２１０３、第二表示画面表示部１２１０４を具備する。サーバ装置１３は、情報格納部１３０１、命令受付部１３０２、送信情報取得部１３０３、情報送信部１３０４を具備する。
【００１６】
第一アドレス受付部１１１０１は、第一の画面用に構成されている第一情報が存在するアドレスを示す第一アドレスを受け付ける。第一アドレスは、例えば、「ＵＲＬ」である。第一アドレスは、「ＵＲＩ」や「フォルダ名とファイル名」や「ＩＰアドレスとファイル名」等、第一情報が存在する場所を示す情報であれば何でも良い。第一アドレス受付部１１１０１は、例えば、入力デバイス（例えば、キーボードやマウス、タッチパネルなど）から入力された情報を受け付けてもよく、有線もしくは無線の通信回線を介して送信された情報を受信してもよく、所定の記録媒体（例えば、光ディスクや磁気ディスク、半導体メモリなど）から読み出された情報を受け付けてもよい。第一アドレス受付部１１１０１は、例えば、検索エンジンを用いて検索されたホームページアドレス（ＵＲＬ）群から、一のＵＲＬを選択する指示を受け付けても良い。なお、第一アドレス受付部１１１０１は、受け付けを行うためのデバイス（例えば、モデムやネットワークカードなど）を含んでもよく、あるいは含まなくてもよい。また、第一アドレス受付部１１１０１は、マウス等のハードウェアによって実現されてもよく、あるいは所定のデバイスを駆動するドライバ等のソフトウェアによって実現されてもよい。
【００１７】
第一情報取得部１１１０２は、第一アドレスに基づいて第一情報を取得する。具体的には、第一情報取得部１１１０２は、第一情報の取得命令をサーバ装置に送信し、当該取得命令に応じて、第一情報を受信する。第一情報は、たとえば、コンパクトＨＴＭＬ（以下、適宜「Ｃ−ＨＴＭＬ」という。）やＨＴＭＬやＸＭＬ等で記述されている。また、第一情報は、動画や静止画等の画像情報を有してもよい。第一情報取得部１１１０２は、通常、ＭＰＵやメモリと、無線または有線の通信手段等で実現され得る。第一情報取得部１１１０２が第一情報を取得するための処理手順は、通常、ソフトウェアで実現され、当該ソフトウェアはＲＯＭ等の記録媒体に記録されている。但し、ハードウェア（専用回路）で実現しても良い。
【００１８】
第一表示画面構成部１１１０３は、第一情報を解釈し、第一表示画面を構成する処理を行う。第一表示画面構成部１１１０３は、例えば、Ｃ−ＨＴＭＬパーサを有する。第一表示画面構成部１１１０３は、例えば、構成した第一表示画面をＶＲＡＭに書き込む。通常、ＭＰＵやメモリ等から実現され得る。解釈するための処理手順は、通常、ソフトウェアで実現され、当該ソフトウェアはＲＯＭ等の記録媒体に記録されている。但し、ハードウェア（専用回路）で実現しても良い。
【００１９】
第一表示画面表示部１１１０４は、第一表示画面構成部１１１０３において構成された第一表示画面を表示する。第一表示画面表示部１１１０４は、例えば、ＶＲＡＭに書き込まれている第一表示画面をディスプレイ上に表示する。第一表示画面表示部１１１０４は
、それらの表示を行う表示デバイス（例えば、ＣＲＴや液晶ディスプレイなど）を含んでもよく、あるいは含まなくてもよい。また、第一表示画面表示部１１１０４は、表示デバイスのドライバーソフトまたは、表示デバイスのドライバーソフトと表示デバイス等で実現され得る。
【００２０】
第二アドレス送信指示受付部１１１０７は、第一情報に存在する第二アドレスを送信する指示を受け付ける。第二アドレス送信指示受付部１１１０７は、例えば、入力デバイス（例えば、キーボードやマウス、タッチパネルなど）から入力された情報を受け付けてもよく、有線もしくは無線の通信回線を介して送信された情報を受信してもよく、所定の記録媒体（例えば、光ディスクや磁気ディスク、半導体メモリなど）から読み出された情報を受け付けてもよい。なお、第二アドレス送信指示受付部１１１０７は、受け付けを行うためのデバイス（例えば、モデムやネットワークカードなど）を含んでもよく、あるいは含まなくてもよい。また、第二アドレス送信指示受付部１１１０７は、マウス等のハードウェアによって実現されてもよく、あるいは所定のデバイスを駆動するドライバ等のソフトウェアによって実現されてもよい。
【００２１】
第二アドレス取得部１１１０５は、第一情報に関連する情報である第二情報が存在するアドレスを示す第二アドレスを第一情報から取得する。第二アドレスを取得するトリガーやタイミングは、問わない。ここでは、例として、第二アドレス送信指示受付部１１１０７が受け付けた第二送信指示に基づいて、第二アドレスを取得する。関連とは、例えば、以下のような第一情報と第二情報の関係を言う。第一情報が、ある会社の会社案内の携帯電話用の情報（Ｃ−ＨＴＭＬで記述されている情報）であり、第二情報が、同じ会社の会社案内のパソコン用の情報（ＨＴＭＬで記述されている情報）である。第二アドレス取得部１１１０５は通常、ＭＰＵやメモリ等から実現され得る。第二アドレス取得部１１１０５が第一情報を取得するための処理手順は、通常、ソフトウェアで実現され、当該ソフトウェアはＲＯＭ等の記録媒体に記録されている。但し、ハードウェア（専用回路）で実現しても良い。
【００２２】
第二アドレス送信部１１１０６は、第二アドレスを第二情報処理装置１２に送信する処理を行う。第二アドレスを送信するトリガーやタイミングは、問わない。第二アドレス送信部１１１０６は、ユーザの指示により第二アドレスを第二情報処理装置１２に送信しても良いし、第一情報を表示した後に、ただちに、第二アドレスを第二情報処理装置１２に送信しても良い。ここでは、例として、第二アドレス送信指示受付部１１１０７が受け付けた送信指示に基づいて、第二アドレスを送信する。なお、第二アドレス送信部１１１０６は、送信を行うための送信デバイス（例えば、モデムやネットワークカードなど）を含んでもよく、あるいは含まなくてもよい。また、第二アドレス送信部１１１０６は、ハードウェアによって実現されてもよく、あるいは送信デバイスを駆動するドライバ等のソフトウェアによって実現されてもよい。送信は、赤外線による通信、ブルートゥース（登録商標）等の近距離無線通信手段、或いは電子メール送信手段等により実現される。
【００２３】
第二アドレス受信部１２１０１は、第二アドレス送信部１１１０６から送信されてきた第二アドレスを受信する。なお、第二アドレス受信部１２１０１は、受信を行うための受信デバイス（例えば、モデムやネットワークカードなど）を含んでもよく、あるいは含まなくてもよい。また、第二アドレス受信部１２１０１は、ハードウェアによって実現されてもよく、あるいは受信デバイスを駆動するドライバ等のソフトウェアによって実現されてもよい。
【００２４】
第二情報取得部１２１０２は、第二アドレスに基づいて第二情報を取得する。具体的には、第二アドレスを有する第二情報の取得命令をサーバ装置に送信し、当該取得命令の送信に対応して第二情報を受信する。第二情報取得部１２１０２が、第二情報を取得するタ
イミングは問わない。例えば、第二アドレス受信部１２１０１が第二アドレスを受信したことをトリガーとして第二情報を取得するようにしてもよいし、ユーザ等から第二アドレスに基づいた第二情報を取得する指示を受け付けた場合に、第二情報を取得するようにしてもよい。第二情報取得部１２１０２は、通常、ＭＰＵやメモリ等から実現され得る。第二情報取得部１２１０２が第二情報を取得するための処理手順は、通常、ソフトウェアで実現され、当該ソフトウェアはＲＯＭ等の記録媒体に記録されている。但し、ハードウェア（専用回路）で実現しても良い。
【００２５】
第二表示画面構成部１２１０３は、第二情報取得部１２１０２が取得した第二情報を解釈し、第二表示画面を構成する。第二表示画面構成部１２１０３は、例えば、ＨＴＭＬパーサを有する。第二表示画面構成部１２１０３は、例えば、構成した第一表示画面をＶＲＡＭに書き込む。通常、ＭＰＵやメモリ等から実現され得る。解釈するための処理手順は、通常、ソフトウェアで実現され、当該ソフトウェアはＲＯＭ等の記録媒体に記録されている。但し、ハードウェア（専用回路）で実現しても良い。
【００２６】
第二表示画面表示部１２１０４は、第二表示画面構成部１２１０３において構成された第二表示画面を表示する。第二表示画面表示部１２１０４は、例えば、ＶＲＡＭに書き込まれている第一表示画面をディスプレイ上に表示する。第二表示画面表示部１２１０４は、それらの表示を行う表示デバイス（例えば、ＣＲＴや液晶ディスプレイなど）を含んでもよく、あるいは含まなくてもよい。また、第二表示画面表示部１２１０４は、ハードウェアによって実現されてもよく、あるいは表示デバイスを駆動するドライバ等のソフトウェアによって実現されてもよい。
【００２７】
情報格納部１３０１は、複数の情報を格納している。情報とは、第一情報や第二情報を含む。情報は、例えば、ＨＴＭＬやＣ−ＨＴＭＬで記述された、いわゆるホームページの情報である。情報格納部１３０１は、不揮発性の記録媒体が好適であるが、揮発性の記録媒体でも実現可能である。
【００２８】
命令受付部１３０２は、第一情報処理装置１１や第二情報処理装置１２などの端末から、情報の取得命令を受け付ける。取得命令は、取得する情報を特定する情報（上記の第一アドレスや第二アドレスなど）を含む。命令受付部１３０２は、通常、無線または有線の通信手段で実現されるが、放送を受信する手段等で実現されても良い。
【００２９】
送信情報取得部１３０３は、命令受付部１３０２が受け付けた取得命令に基づいて情報格納部１３０１から情報を取得する。例えば、送信情報取得部１３０３は、取得命令が有するＵＲＬに対応する情報を情報格納部１３０１から取得する。送信情報取得部１３０３は、通常、ＭＰＵやメモリ等から実現され得る。送信情報取得部１３０３の処理手順は、通常、ソフトウェアで実現され、当該ソフトウェアはＲＯＭ等の記録媒体に記録されている。但し、ハードウェア（専用回路）で実現しても良い。
【００３０】
情報送信部１３０４は、送信情報取得部１３０３が取得した情報を、アクセスした端末（第一情報処理装置１１や第二情報処理装置１２などの端末）に送信する。情報送信部１３０４は、通常、無線または有線の通信手段で実現されるが、放送手段で実現されても良い。
【００３１】
以下、本情報システムの動作について説明する。まず、第一情報処理装置１１の動作について図３のフローチャートを用いて説明する。
（ステップＳ３０１）第一アドレス受付部１１１０１は、第一アドレスを受け付けたか否かを判断する。「第一アドレスを受け付けた」とは、例えば、ＵＲＬが入力され、ＵＲＬから情報を取得するための情報取得ボタンの押下があった、ということ等である。第一
アドレスを受け付ければステップＳ３０２に飛び、受け付けていなければステップＳ３０１に戻る。
【００３２】
（ステップＳ３０２）第一情報取得部１１１０２は、ステップＳ３０１で受け付けた第一アドレスを有する取得命令を構成し、この取得命令をサーバ装置１３に送信する。
【００３３】
（ステップＳ３０３）第一情報取得部１１１０２は、ステップＳ３０２において送信された取得命令に応じてサーバ装置１３から第一情報を受信したか判断する。第一情報を受信すればステップＳ３０４へ行き、受信しなければステップＳ３０８へ飛ぶ。
（ステップＳ３０４）第一表示画面構成部１１１０３は、ステップＳ３０３において受信した第一情報を解釈し、第一表示画面を構成する。
（ステップＳ３０５）第一表示画面表示部１１１０４は、ステップＳ３０４で構成された第一表示画面を表示する。
【００３４】
（ステップＳ３０６）第二アドレス送信指示受付部１１１０７は、第二アドレスの送信指示を受け付けたか否かを判定する。受け付けた場合、ステップＳ３１０に飛び、受け付けていない場合、ステップＳ３０７へ飛ぶ。
【００３５】
（ステップＳ３０７）第一アドレス受付部１１１０１は、第一アドレスを受け付けたか否かを判断する。第一アドレスを受け付ければステップＳ３０２に飛び、受け付けていなければステップＳ３０６に戻る。
【００３６】
（ステップＳ３０８）第一情報取得部１１１０２は、タイムアウトか否か判断する。タイムアウトとは、例えば第一情報の取得命令送信から所定時間が経過したか判断することである。タイムアウトであればステップＳ３０９へ飛び、タイムアウトでなければステップＳ３０３へ戻る。
（ステップＳ３０９）第一表示画面表示部１１１０４は、エラーであることを表示して、ステップＳ３０１に戻る。
【００３７】
（ステップＳ３１０）第二アドレス取得部１１１０５は、ステップＳ３０３で受信した第一情報から第二アドレスを取得する。この第二アドレスの取得に関する詳細な処理については図４を用いて説明する。
【００３８】
（ステップＳ３１１）第二アドレス取得部１１１０５は、ステップＳ３０９において第二アドレスが取得できたか否かを判断する。第二アドレスが取得できた場合はステップＳ３１２へ進み、第二アドレスが取得できなかった場合はステップＳ３０１へ戻る。
【００３９】
（ステップＳ３１２）第二アドレス送信部１１１０６は、ステップＳ３１０で取得された第二アドレスを第二情報処理装置１２に送信する。ステップＳ３０１へ戻る。
なお、図３のフローチャートにおいて、電源オフや処理終了の割り込みにより処理は終了する。
【００４０】
次に、第二アドレス取得処理に関し、図４のフローチャートを用いて説明する。
（ステップＳ４０１）第二アドレス取得部１１１０５は、予め決められた第二アドレスを取得するための情報である所定のタグを、メモリ等から読み出す。
（ステップＳ４０２）カウンタiに１を代入する。
（ステップＳ４０３）第二アドレス取得部１１１０５は、第一情報中のｉ行目のタグを読み出す。
【００４１】
（ステップＳ４０４）第二アドレス取得部１１１０５は、ステップＳ４０１で読み出さ
れたタグとステップＳ４０２で読み出されたタグが所定の関係にあるか否か判断を行う。「所定の関係」とは、例えば、タグ同士が、一致、あるいは部分一致する関係等である。所定の関係であればステップＳ４０５へ行き、所定の関係でなければステップＳ４０６へ飛ぶ。
【００４２】
（ステップＳ４０５）第二アドレス取得部１１１０５は、第一情報中のｉ行目に存在する第二アドレスを取得する。上位関数にリターンする。リターン値は第二アドレスである。
（ステップＳ４０６）カウンタiを１インクリメントする。
（ステップＳ４０７）第一情報に、i行目が存在するか否か判断する。i行目が存在すればステップＳ４０３へ戻り、存在しなければステップＳ４０８に行く。
（ステップＳ４０８）リターン値を−１とする。「−１」はエラーを示すコードである。上位関数にリターンする。
【００４３】
次に、図５を用いて第二情報処理装置１２の動作を説明する。
（ステップＳ５０１）第二アドレス受信部１２１０１は、第二アドレスを受信したか否かを判断する。第二アドレスを受信すればステップＳ５０２に行き、受信しなければステップＳ５０１に戻る。
（ステップＳ５０２）第二情報取得部１２１０２は、ステップＳ５０１で取得した第二アドレスを有する取得命令をサーバ装置に送信する。
【００４４】
（ステップＳ５０３）第二情報取得部１２１０２は、ステップＳ５０２において送信された取得命令に応じてサーバ装置１３から第二情報を受信したか判断する。第二情報を受信すればステップＳ５０４へ行き、受信しなければステップＳ５０６へ飛ぶ。
（ステップＳ５０４）第二表示画面構成部１２１０３は、ステップＳ５０３により受信した第二情報を解釈し画面を構成する。
（ステップＳ５０５）第二表示画面表示部１２１０４は、ステップＳ５０４で画面構成された第二情報を第二画面に表示し、ステップＳ５０１に戻る。
【００４５】
（ステップＳ５０６）第二表示画面構成部１２１０３は、タイムアウトか否か判断する。タイムアウトとは、第二情報の取得命令送信から所定時間が経過したか判断することである。タイムアウトであればステップＳ５０７へ飛び、タイムアウトでなければステップＳ５０３へ戻る。
【００４６】
（ステップＳ５０７）第二表示画面表示部１２１０４は、エラー表示をし、ステップＳ５０１に戻る。なお、図５のフローチャートにおいて、電源オフや処理終了の割り込みにより処理は終了する。
【００４７】
次に、図６を用いてサーバ装置１３の動作を説明する。
（ステップＳ６０１）命令受付部１３０２は、アドレスを有する取得命令を受け付けたか否か判定する。受け付けた場合、ステップＳ６０２へ飛び、受け付けていない場合、ステップＳ６０１へ戻る。
（ステップＳ６０２）送信情報取得部１３０３は、アドレスを有する取得命令が示す情報を、情報格納部１３０１から取得する。
【００４８】
（ステップＳ６０３）情報送信部１３０４は、アドレスを有する取得命令が、第一情報処理装置１１から出力されたものであるか否か判定する。第一情報処理装置１１から出力されたものであれば、ステップＳ６０４へ飛ぶ。第一情報処理装置１１から出力されたものでなければ、ステップＳ６０５へ飛ぶ。なお、取得命令がどこから出力されたものであるかは、取得命令に、出力元の装置のアドレス等を持たせるようにすることで、実現可能
である。このような処理は、公知の技術であるので説明は省略する。
（ステップＳ６０４）情報送信部１３０４は、第一情報処理装置１１に、ステップＳ６０２で取得した情報を送信し、ステップＳ６０１に戻る。
【００４９】
（ステップＳ６０５）情報送信部１３０４は、アドレスを有する取得命令が、第二情報処理装置１２から出力されたものであるか否か判定する。第二情報処理装置１２から出力されたものであれば、ステップＳ６０６へ飛ぶ。出力されたものでなければ、ステップＳ６０１へ戻る。
【００５０】
（ステップＳ６０６）情報送信部１３０４は、第二情報処理装置１２に、ステップＳ６０２で取得した情報を送信し、ステップＳ６０１に戻る。なお、図６のフローチャートにおいて、電源オフや処理終了の割り込みにより処理は終了する。
【００５１】
以下、本実施の形態における情報処理システムの具体的な動作について説明する。情報処理システムの概念図は図１である。第一情報処理装置及び第二情報処理装置の表示例は図７、図８に示す。
【００５２】
本実施の形態において、ユーザは入手を希望する情報（本実施の形態における第一情報）を第一情報処理装置１１で検索する。本例においてユーザは外出時に第一情報処理装置１１において、喫茶店情報の検索を行う。検索処理は第一アドレス受付部１１１０１において行う。ユーザは街で見かけたＵＲＬを入力しても良いし、検索エンジンによって取得した検索結果を取得する場合もある。つまり、第一情報が存在するＵＲＬは、手入力によって取得されたＵＲＬ、受信（放送、通信）によって取得されたＵＲＬ、検索エンジンの検索結果等のうちの１つである。
【００５３】
次に、喫茶店Ａについての「ｈｔｔｐ：／／ｗｗｗ．ｅｋｉｍａｅｋｉｓｓａ０１．ｊｐ／」というＵＲＬを取得した第一情報取得部１１１０２は、ＵＲＬを有する第一情報の取得命令をサーバ装置１３に送信し、送信された第一情報を受信したか判断する。第一情報は通信によりＷＥＢサーバ等のネットワークから取得する場合もあれば、記録媒体から取得する場合もある。記録媒体は揮発性、不揮発性を問わない。
【００５４】
第一情報を受信した場合、第一情報を解釈し、第一情報をＶＲＡＭに書き込む等の処理を行うことにより表示画面イメージの構成を行う。そして、構成した表示画面イメージを、図７に示すように、第一情報処理装置１１の画面に表示する。
【００５５】
受信されなければ、所定時間経過後、タイムアウトとなり、図８に示すように、第一情報処理装置画面に「情報が取得できませんでした。」等のエラー画面が表示される。
【００５６】
次に、第一情報処理装置１１で表示された第一情報に関連する情報である第二情報を、第二情報処理装置１２において表示する。第二情報が存在する第二アドレスは、例えば、第一情報処理装置１１の、詳細なサイト情報を送信するためのコマンドを選択することで、第二アドレス取得部１１１０５が、第一情報取得部１１１０２が受信した第一情報を取得し、この第一情報の所定のタグを読み出すことにより取得する。
【００５７】
図９は、第一情報取得部１１１０２が受信した第一情報のデータの構成を示す図である。ここでは、第一情報はＣ−ＨＴＭＬで記載されているものとし、第一情報内の、「＜！−−」と「−−＞」とで囲まれた、いわゆるコメントアウトタグのうちの、「裏アドレス」という文字を含むタグが、第二アドレスを有するタグであるとし、この「裏アドレス」という文字の後に続くアドレスが第二アドレスであるとする。第二アドレス取得部１１１０５は、第二アドレスを読み出すためのタグとして取得した「裏アドレス」というタグと
所定の関係にあるタグとして、「裏アドレス」という文字を含むコメントアウトタグを検出し、この「裏アドレス」という文字の後に続くアドレス「ｈｔｔｐ：／／ｗｗｗ．ｅｋｉｍａｅｋｉｓｓａ０２．ｊｐ／」を、第二アドレスとして取得する。そして、この第二アドレスが、第二情報処理装置１２に送信される。なお、ここでは、第二アドレス取得部１１１０５が、第二アドレスを読み出すためのタグと所定の関係にあるタグとして、「裏アドレス」という文字を含むコメントアウトタグを第一情報から検出するようにしたが、第二アドレス取得部１１１０５が第二アドレスを読み出すために取得するタグを例えば「第二アドレス」というタグとし、第一情報の「第二アドレス」というタグと同じ行に含まれるアドレスを、第二アドレスとして取得するようにしてもよい。
【００５８】
本例において喫茶店Ａが気に入ったユーザは、帰宅してから自宅のパソコンで、第一情報処理装置１１から受信した第二アドレスを呼び出し、図７に示すように、この第二アドレスの指定する第二情報を表示させることで、外出時に第一情報処理装置１１で検索した喫茶店Ａの情報を取得する。
【００５９】
以上、本実施の形態によれば、ユーザは外出先において携帯端末等で検索取得した情報を、特別の処理をすることなく自宅のパソコンで表示することができる。これにより、携帯端末は、表示情報量が少ないため表示できなかった情報も、パソコン上で表示することが可能である。
【００６０】
また、本実施の形態によれば、例えば、ホームページ提供者等の情報発信側が情報を発信する際、携帯端末やパソコン等、複数の形態の情報処理装置に有効な情報を一括して発信することが可能である。
【００６１】
また、本実施の形態において、前記第二アドレス取得部１１１０５において取得した第二アドレスを、第二アドレス送信部１１１０６が第二情報処理装置１２へ送信する第二アドレス送信のタイミングは問わない。第一情報処理装置上における第一情報受信時、あるいは第一情報画面表示時、又は第二情報処理装置においてユーザが指定した時のいずれでも可能である。送信手段は、電子メール、赤外線による通信、ブルートゥース（登録商標）等の近距離無線通信手段により実現される。かかることは、他の実施の形態においても同様である。
【００６２】
また、本実施の形態においては、第一情報、及び第二情報はＨＴＭＬファイル、ＸＭＬファイル、その他の情報により構成される。かかることは、他の実施の形態においても同様である。
【００６３】
また、本実施の形態においては、第一情報が存在するアドレスを示す第一アドレスは、ＵＲＬ，ＵＲＩ，ＩＰアドレスとフォルダとファイル名との組み合わせ等により構成される。かかることは、他の実施の形態においても同様である。
【００６４】
また、本実施の形態によれば、第一情報処理装置１１は、携帯端末等を利用する。第二情報処理装置１２は、例えばアスペクト比１６：９のテレビ、アスペクト比４：３のパーソナルコンピュータ等を利用する。但し、ユーザの利用形態により、第一情報処理装置１１がアスペクト比４：３のパーソナルコンピュータ、アスペクト比１６：９のテレビ、第二情報処理装置１２が携帯端末として使用することも可能である。かかることは、他の実施の形態においても同様である。
【００６５】
なお、本実施の形態において、第一情報がビットマップデータや動画像データ等の解釈が不要なデータである場合、第一情報を解釈して表示画像を構成する第一表示画面構成部１１１０３を設けないようにしてもよい。この場合、第一情報のヘッダ情報等に第二アド
レスを加えておくようにすることで、第二アドレス取得部１１１０５は、第一情報を解釈することなく、第一情報のヘッダ情報を読み出すことで、第二アドレスを取得することが可能となる。かかる場合の情報処理装置は、第一の画面を有する第一情報処理装置と第二の画面を有する第二情報処理装置を具備する情報処理システムであって、前記第一情報処理装置は、第一の画面用に構成されている第一情報が存在するアドレスを示す第一アドレスを受け付ける第一アドレス受付部と、前記第一アドレスに基づいて第一情報を取得する第一情報取得部と、前記第一情報を表示する第一情報表示部と、前記第二の画面用に構成されており、前記第一情報に関連する情報である第二情報が存在するアドレスを示す第二アドレスを前記第一情報から取得する第二アドレス取得部と、第二アドレス取得部が取得した前記第二アドレスを、前記第二情報処理装置に送信する第二アドレス送信部を具備し、前記第二情報処理装置は、前記第一情報処理装置から第二アドレスを受信する第二アドレス受信部と、前記第二アドレスに基づいて第二情報を取得する第二情報取得部と、前記第二情報を表示する第二情報表示部を具備する情報処理システムとなる。かかることは、他の実施の形態においても同様である。
【００６６】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、かかることは、他の実施の形態においても同様である。
【００６７】
なお、上記実施の形態における情報処理システムの第一情報処理装置を実現するソフトウェアは、以下のようなプログラムである。つまり、このプログラムは、コンピュータに、第一の画面を有する第一情報処理装置と第二の画面を有する第二情報処理装置とを有する情報処理システムを構成する第一情報処理装置における処理を実行させるためのプログラムであって、第一の画面用に構成されている第一情報が存在するアドレスを示す第一アドレスを受け付ける第一アドレス受付ステップと、前記第一アドレスに基づいて第一情報を取得する第一情報取得ステップと、前記第一情報を解釈し、第一表示画面を構成する第一表示画面構成ステップと、前記第一表示画面を表示する第一表示画面表示ステップと、前記第二の画面用に構成されており、前記第一情報に関連する情報である第二情報が存在するアドレスを示す第二アドレスを前記第一情報から取得する第二アドレス取得ステップと、第二アドレス取得ステップで取得した前記第二アドレスを、前記第二情報処理装置に送信する第二アドレス送信ステップとを実行させるためのプログラムである。
【００６８】
また、上記実施の形態における情報処理システムの第一情報処理装置を実現するソフトウェアは、以下のようなプログラムである。つまり、このプログラムは、コンピュータに、第一の画面を有する第一情報処理装置と第二の画面を有する第二情報処理装置とを有する情報処理システムを構成する第一情報処理装置における処理を実行させるためのプログラムであって、第一の画面用に構成されている第一情報が存在するアドレスを示す第一アドレスを受け付ける第一アドレス受付ステップと、前記第一アドレスに基づいて第一情報を取得する第一情報取得ステップと、前記第一情報を表示する第一情報表示ステップと、前記第二の画面用に構成されており、前記第一情報に関連する情報である第二情報が存在するアドレスを示す第二アドレスを前記第一情報から取得する第二アドレス取得ステップと、第二アドレス取得ステップで取得した前記第二アドレスを、前記第二情報処理装置に送信する第二アドレス送信ステップを実行させるためのプログラムである。
【００６９】
なお、上記各プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない
処理）は含まれない。かかることは、他の実施の形態においても同様である。
【００７０】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
【００７１】
（実施の形態２）
図１０は、本発明の実施の形態２に係る情報処理システムのブロック図である。本実施の形態２に係る情報処理システムは、上記実施の形態１に係る情報処理システムにおいて、第一情報処理装置が取得した第一情報を、第二情報処理装置に送信し、第二情報処理装置が、この第一情報から、第二アドレスを取得するようにしたものである。
本実施の形態に係る情報処理システムは、第一情報処理装置２１と、第二情報処理装置２２と、サーバ装置１３とを備えている。
サーバ装置１３は、上記実施の形態１と同様の構成を有しており、ここでは構成および動作の説明を省略する。
【００７２】
第一情報処理装置２１は、第一アドレス受付部１１１０１、第一情報取得部１１１０２、第一表示画面構成部１１１０３、第一表示画面表示部１１１０４、第一情報送信部２１１０１、第一情報送信指示受付部２１１０２を具備する。第一アドレス受付部１１１０１、第一情報取得部１１１０２、第一表示画面構成部１１１０３、第一表示画面表示部１１１０４については、上記実施の形態１と同様の構成を有しており、ここでは説明を省略する。
【００７３】
第二情報処理装置１２は、第一情報受信部２２１０１、第二アドレス取得部２２１０２、第二情報取得部１２１０２、第二表示画面構成部１２１０３、第二表示画面表示部１２１０４を具備する。第二情報取得部１２１０２、第二表示画面構成部１２１０３、第二表示画面表示部１２１０４については、上記実施の形態１と同様の構成を有しており、ここでは説明を省略する。
【００７４】
第一情報送信指示受付部２１１０２は、第一情報を送信する指示を受け付ける点を除けば、上記実施の形態１において説明した第二アドレス送信指示受付部１１１０７と同様の構成を有しているため、ここでは詳細な説明は省略する。
【００７５】
第一情報送信部２１１０１は、第一情報を、第二情報処理装置２２に送信する処理を行う。第一情報を送信するトリガーやタイミングは、問わない。第一情報送信部２１１０１は、ユーザの指示により第一情報を第二情報処理装置２２に送信しても良いし、第一情報を表示した後に、ただちに、第一情報を第二情報処理装置２２に送信しても良い。ここでは、例として、第一情報送信指示受付部２１１０２が受け付けた送信指示に基づいて、第一情報を送信する。なお、第一情報送信部２１１０１は、送信を行うための送信デバイス（例えば、モデムやネットワークカードなど）を含んでもよく、あるいは含まなくてもよい。また、第一情報送信部２１１０１は、ハードウェアによって実現されてもよく、あるいは送信デバイスを駆動するドライバ等のソフトウェアによって実現されてもよい。送信は、赤外線による通信、ブルートゥース（登録商標）等の近距離無線通信手段、或いは電子メール送信手段等により実現される。
【００７６】
第一情報受信部２２１０１は、第一情報送信部２１１０１が送信した第一情報を受信する。なお、第一情報受信部２２１０１は、受信を行うための受信デバイス（例えば、モデムやネットワークカードなど）を含んでもよく、あるいは含まなくてもよい。また、第一情報受信部２２１０１は、ハードウェアによって実現されてもよく、あるいは受信デバイスを駆動するドライバ等のソフトウェアによって実現されてもよい。
第二アドレス取得部２２１０２は、上記実施の形態１において説明した第二アドレス取得部１１１０５と同様の構成を有しており、ここでは説明を省略する。
【００７７】
次に、図１１を用いて、第一情報処理装置２１の動作について説明する。なお、図３のフローチャートと同一符号のステップについては、同一または相当する部分を示しており、ここでは説明を省略する。
【００７８】
（ステップＳ１１０１）第一情報送信指示受付部２１１０２は、第一情報の送信指示を受け付けたか否かを判定する。受け付けた場合、ステップＳ１１０２に飛び、受け付けていない場合、ステップＳ１１０３へ飛ぶ。
【００７９】
（ステップＳ１１０２）第一情報送信部２１１０１は、第一情報取得部１１１０２が取得した第一情報を取得し、第二情報処理装置２２に送信し、ステップＳ３０１へ戻る。
【００８０】
（ステップＳ１１０３）第一アドレス受付部１１１０１は、第一アドレスを受け付けたか否かを判断する。第一アドレスを受け付ければステップＳ３０２に飛び、受け付けていなければステップＳ１１０３に戻る。
なお、図１１のフローチャートにおいて、電源オフや処理終了の割り込みにより処理は終了する。
【００８１】
次に、図１２を用いて、第一情報処理装置２１の動作について説明する。なお、図５のフローチャートと同一符号のステップについては、同一または相当する部分を示しており、ここでは説明を省略する。
【００８２】
（ステップＳ１２０１）第一情報受信部２２１０１は、第一情報を受信したか否か判定する。受信した場合、ステップＳ１２０２へ飛び、受信していない場合、ステップＳ１２０１へ戻る。
【００８３】
（ステップＳ１２０２）第二アドレス取得部２２１０２は、ステップＳ１２０１で受信した第一情報から第二アドレスを取得する。この第二アドレスの取得に関する詳細な処理については図４を用いて説明した処理と同様であるので、ここでは説明を省略する。
【００８４】
（ステップＳ１２０３）第二アドレス取得部２２１０２は、ステップＳ１２０２において第二アドレスが取得できたか否かを判断する。第二アドレスが取得できた場合はステップＳ５０２へ進み、第二アドレスが取得できなかった場合はステップＳ１２０１へ戻る。
【００８５】
なお、ステップＳ５０５およびステップＳ５０７の処理の後は、ステップＳ１２０１に戻るものとする。また、図１２のフローチャートにおいて、電源オフや処理終了の割り込みにより処理は終了する。
【００８６】
次に、本実施の形態における情報処理システムの具体的な動作について説明する。この情報処理システムの概念図は、図１に示した情報処理システムにおいて、第一情報処理装置１１は、第一情報処理装置２１に、また、第二情報処理装置１２は、第二情報処理装置２２に置き換えたものとなる。
【００８７】
本実施の形態において、ユーザが、例えば、喫茶店Ａの情報を得るために「ｈｔｔｐ：／／ｗｗｗ．ｅｋｉｍａｅｋｉｓｓａ０１．ｊｐ／」というＵＲＬを入力すると、このＵＲＬを、第一アドレス受付部１１１０１が受け付ける。第一アドレス受付部１１１０１からＵＲＬを取得した第一情報取得部１１１０２は、ＵＲＬを有する第一情報の取得命令をサーバ装置１３に送信し、送信された第一情報を受信したか判断する。
【００８８】
第一情報を受信した場合、第一情報を解釈し、第一情報をＶＲＡＭに書き込む等の処理を行うことにより表示画面イメージの構成を行う。そして、構成した表示画面イメージを、第一情報処理装置２１の画面に表示する。図７に示した第一情報処理装置１１と同様の表示が行われる。
受信されなければ、所定時間経過後、タイムアウトとなり、第一情報処理装置画面にエラー画面が表示される。
【００８９】
次に、第二情報が存在する第二アドレスは、例えば、図７に示す第一情報処理装置１１の「詳細なサイト情報を送信」というコマンドと、同様のコマンド等を、第一情報処理装置２１において選択することで、第一情報送信部２１１０１が第一情報取得部１１１０２の受信した第一情報を取得して、第二情報処理装置２２にする。
【００９０】
第二情報処理装置２２の第一情報受信部２２１０１は、図９に示すような構成の、第一情報を受信する。そして、第二アドレス取得部２２１０２は、図９に示す第一情報から、第二アドレスを読み出すためのタグとして取得した「裏アドレス」というタグと所定の関係にあるタグとして、「裏アドレス」という文字を含むコメントアウトタグを検出し、この「裏アドレス」という文字の後に続くアドレス「ｈｔｔｐ：／／ｗｗｗ．ｅｋｉｍａｅｋｉｓｓａ０２．ｊｐ／」を、第二アドレスとして取得する。なお、ここでは、第二アドレス取得部２２１０２が、第二アドレスを読み出すためのタグと所定の関係にあるタグとして、「裏アドレス」という文字を含むコメントアウトタグを第一情報から検出するようにしたが、第二アドレス取得部２２１０２が第二アドレスを読み出すために取得するタグを例えば「第二アドレス」というタグとし、第一情報の「第二アドレス」というタグと同じ行に含まれるアドレスを、第二アドレスとして取得するようにしてもよい。
【００９１】
そして、この第二アドレスを、第二情報取得部１２１０２からサーバ装置１３に送信することにより、第二情報取得部１２１０２が、サーバ装置１３から第二情報を取得することができ、第一情報処理装置１１で表示された第一情報に関連する情報である第二情報が、第二情報処理装置１２において表示される。
【００９２】
本例において喫茶店Ａが気に入ったユーザは、帰宅してから自宅のパソコンで、第一情報処理装置１１から受信した第二アドレスを呼び出し、この第二アドレスの指定する第二情報を表示させることで、外出時に第一情報処理装置１１で検索した喫茶店Ａの情報を取得する。
【００９３】
以上、本実施の形態によれば、例えば、ユーザは外出先において携帯端末等で検索取得した情報を、特別の処理をすることなく自宅のパソコンで表示することができる。これにより、携帯端末は、表示情報量が少ないため表示できなかった情報も、パソコン上で表示することが可能である。
【００９４】
また、第二アドレスを取得するための処理を自宅のパソコン等で行うことができる。これにより、携帯端末等のデータの処理量を削減することができる。このため、携帯端末が高性能なプロセッサを搭載する必要が無くなり、携帯端末の構成を簡略化することが可能となる。
【００９５】
なお、上記各実施の形態においては、第一情報処理装置および第二情報処理装置がそれぞれ一つの場合について説明した。しかしながら、本発明においては、第一情報処理装置が複数であってもよいことはいうまでもない。また、第二情報処理装置が複数であってもよいことはいうまでもない。また、第二情報処理装置が複数ある場合、第一情報処理装置が、第二アドレス、あるいは第一情報を送信する際に、送信先のアドレス等を指定できる
ようにして、これらの情報の送信先を選べるようにしてもよい。
【００９６】
なお、上記実施の形態における情報処理装置の第二情報処理装置を実現するソフトウェアは、以下のようなプログラムである。つまり、このプログラムは、コンピュータに、第一の画面を有する第一情報処理装置と第二の画面を有する第二情報処理装置とを有する情報処理システムを構成する第二情報処理装置における処理を実行させるためのプログラムであって、前記第一情報処理装置から、第一の画面用に構成されている第一情報を受信する第一情報受信ステップと、前記第一情報受信ステップで受信した第一情報から、前記第二の画面用に構成されており、前記第一情報に関連する情報である第二情報が存在するアドレスを示す第二アドレスを取得する第二アドレス取得ステップと、前記第二アドレス取得ステップ取得した第二アドレスに基づいて第二情報を取得する第二情報取得ステップと、前記第二情報を解釈し、第二表示画面を構成する第二表示画面構成ステップと、前記第二表示画面を表示する第二表示画面表示ステップを実行させるためのプログラムである。
【００９７】
また、上記実施の形態における情報処理装置の第二情報処理装置を実現するソフトウェアは、以下のようなプログラムである。つまり、このプログラムは、コンピュータに、第一の画面を有する第一情報処理装置と第二の画面を有する第二情報処理装置とを有する情報処理システムを構成する第二情報処理装置における処理を実行させるためのプログラムであって、前記第一情報処理装置から第一の画面用に構成されている第一情報を受信する第一情報受信ステップと、前記第一情報受信ステップが受信した第一情報から、前記第二の画面用に構成されており、前記第一情報に関連する情報である第二情報が存在するアドレスを示す第二アドレスを取得する第二アドレス取得ステップと、前記第二アドレス取得ステップで取得した第二アドレスに基づいて第二情報を取得する第二情報取得ステップと、
前記第二情報を表示する第二情報表示ステップを実行させるためのプログラムである。
【００９８】
なお、上記各実施の形態において、各処理（各機能）は、単一の装置（システム）によって集中処理されることによって実現されてもよく、あるいは、複数の装置によって分散処理されることによって実現されてもよい。
また、本発明は、以上の実施の形態に限定されることなく、種々の変更が可能であり、それらも本発明の範囲内に包含されるものであることは言うまでもない。
【産業上の利用可能性】
【００９９】
本発明は、複数の情報処理端末を利用する情報処理システム等として有用であり、特に携帯端末を利用する情報処理システム等として最適である。
【図面の簡単な説明】
【０１００】
【図１】本発明の実施の形態１による情報処理システムの構成を示す概略図
【図２】同情報処理システムの構成を示すブロック図
【図３】同情報処理システムの動作を示すフローチャート
【図４】同情報処理システムの動作を示すフローチャート
【図５】同情報処理システムの動作を示すフローチャート
【図６】同情報処理システムの動作を示すフローチャート
【図７】同情報処理システムの表示例を示す図
【図８】同情報処理システムの表示例を示す図
【図９】同情報処理システムのデータの構造を示す図
【図１０】本発明の実施の形態２による情報処理システムの構成を示すブロック図
【図１１】同情報処理システムの動作を示すフローチャート
【図１２】同情報処理システムの動作を示すフローチャート
【符号の説明】
【０１０１】
１１  第一情報処理装置
１２  第二情報処理装置
１３  サーバ装置
２１  第一情報処理装置
２２  第二情報処理装置
１３０１  情報格納部
１３０２  命令受付部
１３０３  送信情報取得部
１３０４  情報送信部
１１１０１  第一アドレス受付部
１１１０２  第一情報取得部
１１１０３  第一表示画面構成部
１１１０４  第一表示画面表示部
１１１０５  第二アドレス取得部
１１１０６  第二アドレス送信部
１１１０７  第二アドレス送信指示受付部
１２１０１  第二アドレス受信部
１２１０２  第二情報取得部
１２１０３  第二表示画面構成部
１２１０４  第二表示画面表示部
２１１０１  第一情報送信部
２１１０２  第一情報送信指示受付部
２２１０１  第一情報受信部
２２１０２  第二アドレス取得部
【図１】
2006343806.tif 000003
【図２】
2006343806.tif 000004
【図３】
2006343806.tif 000005
【図４】
2006343806.tif 000006
【図５】
2006343806.tif 000007
【図６】
2006343806.tif 000008
【図７】
2006343806.tif 000009
【図８】
2006343806.tif 000010
【図９】
2006343806.tif 000011
【図１０】
2006343806.tif 000012
【図１１】
2006343806.tif 000013
【図１２】
2006343806.tif 000014